(57)【要約】【課題】端面開口後、接着テープを除去しても、天面が閉じたままとなるようにする。【解決手段】端板１から切目線９を入れて切取片１０を設け、内蓋フラップ６を切り込んで、切取片１０に切目線１２を介し切離可能に繋がるロック片１１を設け、ロック片１１を、内蓋フラップ６の先端側に起伏自在に繋がる引上部１４及びその両側方へ張り出す係止部１５から形成し、外蓋フラップ７に、切取片１０に臨む側端縁からロック片１１に重なる部分まで切目線１７を入れて蓋切部１８を設ける。外蓋フラップ７の突合部から切取片１０まで接着テープＴを貼り付けて封緘した状態で、切取片１０を引き上げて端面を開口させ、これに伴い蓋切部１８を引き上げると、ロック片１１が切取片１０に連動して引き上げられ、係止部１５が折れ曲がりつつ、引上部１４が蓋切部１８の抜出穴である切欠部を通過し、係止部１５が復元して、外蓋フラップ７に乗り上げるようにする。【選択図】図４
2014015223.tif 000002
【特許請求の範囲】
【請求項１】
周壁を形成する端板(1)及び側板(2)を稜部を介してそれぞれ対向するように連設し、端板(1)から内蓋フラップ(6)を、側板(2)から外蓋フラップ(7)をそれぞれ延出し、端板(1)から切目線(9)を入れて切取片(10)を設け、内蓋フラップ(6)を切り込んで、切取片(10)に切目線(12)を介して切離可能に繋がるロック片(11)を設け、ロック片(11)を、内蓋フラップ(6)の先端側に起伏自在に繋がる引上部(14)及びその両側方へ張り出す係止部(15)から形成し、内蓋フラップ(6)に外蓋フラップ(7)を重ね、外蓋フラップ(7)の突合部から切取片(10)まで接着テープ(T)を貼り付けて封緘した状態で、切取片(10)を引き上げて端面を開口させると、ロック片(11)が切取片(10)に連動して引き上げられ、係止部(15)が折れ曲がりつつ、引上部(14)が外蓋フラップ(7)の切欠部を下方から上方へ通過し、係止部(15)が復元して、外蓋フラップ(7)に乗り上げ、その状態で、ロック片(11)を切目線(12)に沿って切取片(10)から切り離し、接着テープ(T)を剥がして切取片(10)を除去できるようにした外装用段ボール箱。
【請求項２】
請求項１に記載の外装用段ボール箱において、前記外蓋フラップ(7)に、切取片(10)に臨む側端縁からロック片(11)に重なる部分まで切目線(17)を入れて蓋切部(18)を設け、切取片(10)と共に蓋切部(18)を引き上げると、外蓋フラップ(7)に蓋切部(18)の抜出穴である切欠部が形成され、この切欠部をロック片(11)の引上部(14)が通過し、切取片(10)と共に蓋切部(18)を除去できるようにしたことを特徴とする外装用段ボール箱。
【発明の詳細な説明】
【技術分野】
【０００１】
この発明は、接着テープによる封緘状態から容易に開封して、商品展示等を行う状態とすることができる外装用段ボール箱に関するものである。
【背景技術】
【０００２】
例えば、下記特許文献１には、図７に示すように、端板５１及び側板５２を連設して周壁を形成し、端板５１から内蓋フラップ５３を、側板から外蓋フラップ５４をそれぞれ延出し、端板５１に切目線を入れて切取片５５を設け、内蓋フラップ５３に外蓋フラップ５４を重ね、外蓋フラップ５４の突合部から切取片５５まで接着テープＴを貼り付けて封緘する外装用段ボール箱が記載されている。
【０００３】
この段ボール箱は、切取片５５を切目線の破断に伴い引き上げて切り取ると共に、接着テープＴを剥がして除去することにより、容易に開封することができる。
【先行技術文献】
【特許文献】
【０００４】
【特許文献１】特許第４８７４５８５号公報
【発明の概要】
【発明が解決しようとする課題】
【０００５】
しかしながら、上記のような段ボール箱では、商品展示のため、切取片５５を大きく設定し、開封時に切取片５５と共に、接着テープＴを剥がして除去すると、外蓋フラップ５４が反発で立ち上がってしまい、端面のみが開口した状態にできないという問題がある。
【０００６】
そこで、この発明は、端面開口後、接着テープを除去しても、天面を閉じた状態に維持できるようにすることを課題とする。
【課題を解決するための手段】
【０００７】
上記課題を解決するため、この発明は、周壁を形成する端板及び側板を稜部を介してそれぞれ対向するように連設し、端板から内蓋フラップを、側板から外蓋フラップをそれぞれ延出し、端板から切目線を入れて切取片を設け、内蓋フラップを切り込んで、切取片に切目線を介して切離可能に繋がるロック片を設け、ロック片を、内蓋フラップの先端側に起伏自在に繋がる引上部及びその両側方へ張り出す係止部から形成し、内蓋フラップに外蓋フラップを重ね、外蓋フラップの突合部から切取片まで接着テープを貼り付けて封緘した状態で、切取片を引き上げて端面を開口させると、ロック片が切取片に連動して引き上げられ、係止部が折れ曲がりつつ、引上部が外蓋フラップの切欠部を下方から上方へ通過し、係止部が復元して、外蓋フラップに乗り上げ、その状態で、ロック片を切目線に沿って切取片から切り離し、接着テープを剥がして切取片を除去できるようにしたのである。
【０００８】
また、前記外蓋フラップに、切取片に臨む側端縁からロック片に重なる部分まで切目線を入れて蓋切部を設け、切取片と共に蓋切部を引き上げると、外蓋フラップに蓋切部の抜出穴である切欠部が形成され、この切欠部をロック片の引上部が通過し、切取片と共に蓋切部を除去できるようにしたのである。
【発明の効果】
【０００９】
この発明に係る外装用段ボール箱では、開封に伴う一連の動作により、端面を開口させると共に、ロック片の係止部で外蓋フラップを押さえて、外蓋フラップの反発による立ち上がりを防止し、天面を閉じた状態に維持することができるので、店頭における簡単な作業で、天面からの塵埃の侵入等を防止しつつ、端面の開口部から商品を見せて、見映えよく展示することができる。
【図面の簡単な説明】
【００１０】
【図１】この発明の実施形態に係る外装用段ボール箱のブランクを示す図
【図２】同上の包装状態を示す斜視図
【図３】同上の開封過程を示す斜視図
【図４】同上の開封過程を示す斜視図
【図５】同上の天面を閉じた展示状態を示す斜視図
【図６】同上のトレー状とした展示状態を示す斜視図
【図７】従来の易開封機能を備えた外装用段ボール箱の開封過程を示す斜視図
【発明を実施するための形態】
【００１１】
以下、この発明の実施形態を添付図面に基づいて説明する。
【００１２】
この外装用段ボール箱は、商品の包装及び展示に使用するものであり、図１に示すブランクは、各一対の端板１及び側板２を交互に連設し、一方の側板２の外側端に継代片３を連設し、各端板１の下端に内底フラップ４を、各側板２の下端に外底フラップ５をそれぞれ連設し、各端板１の上端に内蓋フラップ６を、各側板２の上端に外蓋フラップ７をそれぞれ連設したものとされている。
【００１３】
両側板２に挟まれた一方の端板１には、中間下部に切込を入れて形成された押込片８の両側を基点として外側上方へ斜めに延び、両側板２との稜線から少し間隔をあけて上方へ向かうジッパ型の切目線９が入れられ、切目線９は、内蓋フラップ６の先端側へ向けて内側へ斜めに延びるように延長されて、切目線９の内部が切取片１０とされている。
【００１４】
また、この内蓋フラップ６には、切目線９から切込を入れて、切取片１０に繋がるロック片１１が設けられ、ロック片１１は、切取片１０からその境界に入れたジッパ型の切目線１２の破断に伴い切離可能とされている。
【００１５】
ロック片１１には、内蓋フラップ６の先端側に２本の折目線に挟まれたヒンジ部１３を介して繋がる引上部１４と、その両側方へ張り出す係止部１５とが形成されている。
【００１６】
ヒンジ部１３の中央部には、外蓋フラップ７のロック時に引上部１４の折り曲げの戻りを防止する突起を形成するため、Ｈ字状の切込が入れられ、ヒンジ部１３の両側方には、外蓋フラップ７の厚さを逃がす切込が入れられている。引上部１４と係止部１５の境界には、折目線１６が入れられている。
【００１７】
両方の外蓋フラップ７には、切取片１０に臨む側端縁から斜めに延び、封緘時にロック片１１に重なる部分へかけてＬ字状に屈曲した切目線１７が入れられ、外蓋フラップ７の突合時に切目線１７の内部となる部分が蓋切部１８とされている。切目線１７の斜め部分はジッパ型とされ、Ｌ字状に屈曲した部分はミシン目状とされている。
【００１８】
各一対の端板１及び側板２並びに継代片３には、高さ方向の中間下部に、裏面に貼り付けたカットテープによる引裂帯２０が設けられている。
【００１９】
両方の側板２には、相反方向に向いたコ字状の切目線を入れることにより、引裂帯２０の切始部２１が２箇所に間隔をあけて形成され、切始部２１に挟まれた部分に倒止片２２が設けられている。
【００２０】
倒止片２２は、切取片１０を設けた前面となる端板１に対して、側板２が対向する組立状態で互い違いに前後にずれるように配置され、側板２に切目線を入れることによる包装状態での耐圧強度の低下を防止している。
【００２１】
倒止片２２の先端縁をなす上方の切目線は、膨出弧状の部分が繰り返して横方向に並ぶものとされ、倒止片２２の基部には、横方向の折目線２３と上向きの突片２４を形成する切目線とが入れられている。
【００２２】
上記のようなブランクから段ボール箱を製造する際には、端板１と側板２とを境界の罫線に沿って折り曲げ、扁平な状態で、継代片３を反対側の端板１に貼り付ける。
【００２３】
そして、例えば、レトルト食品入りパウチ等の商品を包装する際、図２に示すように、各一対の端板１及び側板２を四角筒状に折り曲げて周壁を形成し、内底フラップ４及び外底フラップ５を順次折り重ね、接着テープＴで底面を閉止し、商品を収納した後、内蓋フラップ６及び外蓋フラップ７を順次折り重ね、外蓋フラップ７の突合部から切取片１０まで接着テープＴを貼り付けて封緘する。
【００２４】
一方、店頭で商品を展示する際には、押込片８を押し込んで摘み、図３に示すように、切取片１０を切目線９の破断に伴い引き上げて端面を開口させ、これに続いて、切取片１０に接着テープＴで繋がった蓋切部１８を切目線１７の破断に伴い引き上げると、ロック片１１がヒンジ部１３を軸として切取片１０に連動するように引き上げられる。
【００２５】
ここで、外蓋フラップ７に形成される蓋切部１８の抜出穴は、ロック片１１に対応する部分の幅が引上部１４の幅以上であって、折曲前の両側の係止部１５を含めたロック片１１の全幅よりも狭くなるように設定されている。
【００２６】
このため、ロック片１１の引き上げに伴い、係止部１５が折目線１６に沿って折れ曲がりつつ、引上部１４が蓋切部１８の抜出穴を通過した後、図４に示すように、係止部１５が復元して、外蓋フラップ７に乗り上げる。
【００２７】
その後、ロック片１１を切目線１２に沿って切取片１０から切り離し、接着テープＴを剥がして切取片１０及び蓋切部１８を除去すると、図５に示すように、開封が完了すると同時に、外蓋フラップ７がロック片１１の係止部１５で押さえられていることから、端面が開口しつつ、天面が閉じた状態に維持される。
【００２８】
このように、上記外装用段ボール箱では、開封に伴う一連の動作により、端面を開口させると共に、外蓋フラップ７の反発による立ち上がりを防止し、天面を閉じた状態に維持することができるので、店頭における簡単な作業で、天面からの塵埃の侵入等を防止しつつ、端面の開口部から商品Ｇを見せて、見映えよく展示することができる。
【００２９】
また、この段ボール箱をトレー状として商品を展示する際には、倒止片２２を折目線２３に沿って箱内へ押し込むように揺動させ、倒止片２２の両側の切始部２１を容易に摘めるようにした状態で、切始部２１から引裂帯２０を引っ張って、側板２から両方の端板１を切断し、引裂帯２０より上方の部分を除去して、図６に示すように、商品Ｇの大部分を露出させる。
【００３０】
このとき、倒止片２２の折目線２３に沿った折り曲げが反発により戻ろうとしても、倒止片２２から分離して立ち上がる突片２４により阻止され、倒止片２２は、折り曲げた状態に保持される。
【００３１】
このようなトレー状の展示状態では、膨出弧状部が並んだ形状の倒止片２２の先端縁が商品Ｇの側部と係合することから、商品Ｇが前側のものから順次抜き取られても、商品Ｇの前倒れが防止され、美観が維持される。
【００３２】
なお、上記実施形態では、包装状態で周壁が四角筒状となるものを例示したが、端板１と側板２の稜部に面取部が設けられたもの等、周壁がより多角の筒状となる段ボール箱においても、内蓋フラップ６及び外蓋フラップ７を順次折り重ねて封緘するものであれば、同様の構成を適用することができる。
【００３３】
また、外蓋フラップ７に切目線１７を入れて蓋切部１８を設けたものを例示したが、これを省略して、外蓋フラップ７に当初より蓋切部１８の抜出穴に相当する切欠部を形成しておき、この切欠部をロック片１１の引出部１４が通過し、その際、折れ曲がった係止部１５が復元して、外蓋フラップ７に乗り上げるようにしてもよい。
【符号の説明】
【００３４】
１  端板
２  側板
３  継代片
４  内底フラップ
５  外底フラップ
６  内蓋フラップ
７  外蓋フラップ
８  押込片
９  切目線
１０  切取片
１１  ロック片
１２  切目線
１３  ヒンジ部
１４  引上部
１５  係止部
１６  折目線
１７  切目線
１８  蓋切部
２０  引裂帯
２１  切始部
２２  倒止片
２３  折目線
２４  突片
Ｔ  接着テープ
【図１】
2014015223.tif 000003
【図２】
2014015223.tif 000004
【図３】
2014015223.tif 000005
【図４】
2014015223.tif 000006
【図５】
2014015223.tif 000007
【図６】
2014015223.tif 000008
【図７】
2014015223.tif 000009